(57)【要約】【課題】本発明は漏水防止対策を施した浴槽に関するものであり、浴槽の側面に設置される各種の開口部からの漏水が発生しても、これを浴槽システム系内にて処理する構造を提供する。【解決手段】洗い場を一体とした浴槽であって、浴槽と洗い場との境界の少なくとも一部を実質的に一枚のパネル体にて構成し、当該パネルに各種部品を取り付ける開口部を備えた洗い場付き浴槽にかかるもので、パネル体が洗い場の立ち上がり縁部を兼ねており、好ましくはこのパネル体がエプロン板にて覆われるものである。１‥浴槽、２‥洗い場、６‥開口部、７‥口金、８‥パイプ、１０‥パネル体、２０‥エプロン板。【選択図】図４
2004229858.tif 000002
【特許請求の範囲】
【請求項１】
洗い場を一体とした浴槽であって、浴槽と洗い場との境界の少なくとも一部を実質的に一枚のパネル体にて構成し、当該パネルに各種部品を取り付ける開口部を備えたことを特徴とする洗い場付き浴槽。
【請求項２】
前記パネル体が洗い場の立ち上がり縁部を兼ねる請求項１記載の洗い場付き浴槽。
【請求項３】
前記パネル体がエプロン板にて覆われる請求項１又は２記載の洗い場付き浴槽。
【発明の詳細な説明】
【０００１】
【発明の属する技術分野】
本発明は漏水防止対策を施した浴槽に関するものであり、更に詳しくは、洗い場付き浴槽の漏水防止対策に係るものである。
【０００２】
【従来の技術】
現在、集合住宅やホテル更には戸建て住宅にあってもユニットバス（以下、浴槽という）が広く採用されており、当該浴槽の側面部には排水栓の鎖等の各種部品の固定部、追い焚き用開口部、オ−バ−フロ−用開口部等が浴槽の側面に形成されている。
【０００３】
以下、本発明を説明するために浴槽の側面に備えられる追い焚き用開口部を代表として説明するが、地震等の外力の影響により、或いはパッキン等の劣化により、更には、追い焚き口金金具のゆるみ等により、かかる開口部に装着された口金と追い焚き用の配管等にずれが生じることがある。このような場合、開口部からの漏水が発生してしまうことがあるが、通常では、浴槽システム系外への漏水となるためにこれを受ける機能がなく、漏水が発生した場合には直接コンクリ−トスラブ上に水が溜り、階下への影響は大きいものであった。
【０００４】
図にて更に説明すると、図１は従来の洗い場付き浴槽を示す全体図であり、１は浴槽、２は洗い場、３はエプロン、４は排水トラップ、５はドアを示す。そして、浴槽１の側面には追い焚き用の開口部６、そしてこの部位に口金７が備えられるが、この部位から漏水が生じた場合にはこれを受ける手段がなく、直接コンクリ−ト上に漏水し、階下への影響は極めて大きいものである。
【０００５】
かかる漏水の発生に対処するため、浴槽の下側にも防水パンを配置する二重パンタイプ、即ち浴槽の底を囲んで第２の防水パンを設置し、漏水した場合にはこの第２の防水パンにて受ける構造のものもあるが、大きなコストアップの原因となってしまうという問題がある。勿論、清掃等のメンテナンス上も問題となることは避けられない。
【０００６】
【発明が解決しようとする課題】
本発明は、以上のような従来の技術に鑑みてなされたものであり、浴槽の側面に設置される各種の開口部近傍からの漏水が発生しても、これを浴槽システム系内にて処理する構造を提供することを目的とするものである。
【０００７】
【課題を解決するための手段】
本発明の要旨は、洗い場を一体とした浴槽であって、浴槽と洗い場との境界の少なくとも一部を実質的に一枚のパネル体にて構成し、当該パネルに各種部品を取り付ける開口部を備えた洗い場付き浴槽にかかるものである。
【０００８】
更に具体的には、かかるパネル体が洗い場の立ち上がり縁部を兼ねていて、好ましくはこのパネル体がエプロン板にて覆われるものである。
【０００９】
【発明の実施の形態】
本発明の要旨は以上の通りであって、漏水の発生するおそれのある開口部をできるだけ浴槽と洗い場との境界となる一枚のパネル体に構成したものであり、このパネル体が洗い場の立ち上がり縁部を兼ねていることから万一かかる開口部から漏水があっても全て洗い場に流れることとなり、浴槽システム系より漏水が生ずることがなくなったものである。
【００１０】
さて、ここで特定する一枚のパネル体は従来の洗い場付き浴槽の構造で言えば、エプロン部に相当するものであり、かかるエプロン部が一枚のパネルにて構成されて開口部を形成しやすくすると共に、このパネルが従来のエプロン部と同様に洗い場の立ち上がり縁部をなしていることから、この開口部からの漏水は全て洗い場側に流れ出ることになり、浴槽システム系外へ影響することなく、かつ漏水を目視することができるという特徴がある。勿論、追い焚き用の開口部をかかるエプロン部に形成することはこの開口部に給湯用の配管がなされることになるが、このように大きめの部品が装着される場合にはエプロン板をもってこれを覆ってしまえばよい。
【００１１】
【実施例】
以下、本発明の洗い場付き浴槽を図面をもって更に説明する。図２は本発明の第１例を示す全体図であり、図３は本発明の第２例を示す全体図である。図４は第２例の変形例を示すものである。
【００１２】
図中、符号１〜７は図１にて説明した通りでありここでは説明は省略する。さて、本発明の洗い場２付き浴槽１は浴槽１と洗い場２との境界の少なくとも一部を実質的に一枚のパネル体１０としたものである。図２にあっては、両者の境界全てをこのパネル体１０にて構成したものであり、図３はその中央部のみをパネル体１０としたものである。尚、パネル体１０の位置は図４に示すように右又は左に偏った構造のものであってもよい。
【００１３】
かかるパネル体１０の下部は図示するように洗い場２の立ち上がり縁部と共通しており、図２は浴槽１と洗い場２とが完全に一体化された例であり、図３、図４は従来の洗い場付き浴槽のエプロン部３は構成されているが、中央部或いは偏った位置でエプロン部が切り欠かれ、この切り欠かれた部位の浴槽１の側面がパネル体１０にて構成された構造である。このパネル体１０の下縁が洗い場２の立ち上がり縁部を構成するものである。
【００１４】
さて、本発明にあって浴槽１の側面に各種部品を取り付ける開口部６を開けることとなるが、この開口部６をかかるパネル体１０に特定するものである。図２にあっては、パネル体１０の中央に排水栓の鎖の固定部に供される開口部６ａを穿孔したものである。図３、図４にあっては追い焚き用開口部６ｂ、６ｃをパネル体１０に穿孔したものであり、ここには口金７が装着され、これに吸水・給湯用のパイプ８が接続され、これは図示しないボイラ−等に通じている。図５は開口部６ｂ、６ｃにおける断面図であり、開口部６ｂ、６ｃには口金７が装着され、これにパイプ８が接続されることになる。かかるパイプ８は図２の場合にはエプロン部３の内側を通って配置されるのが普通である。
【００１５】
しかるにこれらの開口部６ａ〜６ｃにあって、万一漏水があっても、パネル体１０より洗い場２側に漏れるものであって、これによって浴槽システム系外への漏水は全くなくなったものである。
【００１６】
尚、上記したパネル体１０には必要であればエプロン板２０が任意の手段で嵌め込まれ、安全性の確保と共に見栄えを良くすることもできることは言うまでもない。尚、図中、２１はエプロン板２０の下部に備えた水抜き穴である。
【００１７】
図６は本発明の更に他の例を示す図であり、浴槽１と洗い場２との間には従来のエプロン３にてほぼ構成されているが、開口部６を穿孔する部位近傍のみをパネル体１０にて構成した例である。このように、パネル体１０の位置は浴槽１と洗い場２との間に特定はされるが、その大きさや配置場所、更にはパネル体１０の数等も任意に変えられることは勿論である。
【００１８】
【発明の効果】
本発明の特徴は各種部品の取り付け用の開口部をパネル体に特定したことによってこれから漏水が発生しても洗い場側に漏れるだけであり、階下への漏水等の影響は全くなくなったもので、その実用性価値は高い。
【図面の簡単な説明】
【図１】図１は従来の洗い場付き浴槽を示す全体図である。
【図２】図２は本発明の第１例を示す全体図である。
【図３】図３は本発明の第２例を示す全体図である。
【図４】図４は本発明の第２例の変形例を示す全体図である。
【図５】図５は本発明の主要部の断面図である。
【図６】図６は本発明の第３例を示す全体図である。
【符号の説明】
１‥浴槽、
２‥洗い場、
３‥エプロン、
４‥排水トラップ、
５‥ドア、
６、６ａ、６ｂ、６ｃ‥開口部、
７‥口金、
８‥パイプ、
１０‥パネル体、
２０‥エプロン板、
２１‥エプロン板の水抜き穴。
【図１】
2004229858.tif 000003
【図２】
2004229858.tif 000004
【図３】
2004229858.tif 000005
【図４】
2004229858.tif 000006
【図５】
2004229858.tif 000007
【図６】
2004229858.tif 000008